(57)【特許請求の範囲】
【請求項１】
通電により開閉されるソレノイドバルブを構成するコイルをケースに固定する構造であって、
内部にソレノイドが挿入され、電力供給を受けるための二本の端子を有するコイルと、
前記コイルの上面と、対向するケース内面との間に間挿される弾性部材と、を備え、
前記弾性部材は、前記ケース内面と三箇所で当接し、かつ前記二本の端子と前記ソレノイドの中心とを結ぶ直線上に位置する二箇所で前記コイルの上面と当接するように形成されることを特徴とするコイル固定構造。
【請求項２】
前記弾性部材は一端が互いに接続された二本のアームを有する板ばねであり、該二本のアームがそれぞれ一箇所で前記コイルの上面と当接するように形成されることを特徴とする請求項１に記載のコイル固定構造。
【発明の詳細な説明】
【技術分野】
【０００１】
本発明は、ブレーキ制御システムで使用されるソレノイドバルブのコイルを固定する構造に関する。
【背景技術】
【０００２】
車両用ブレーキ制御システムでは複数の電磁弁が使用される。この電磁弁は、ケース内に設けられ、コイルへの通電により開閉されるソレノイドバルブを備えている。コイルとケースとの間には、コイルに付勢力を付与する弾性部材が介在されている。この付勢力によって、ソレノイドバルブが設けられたケースに向けてコイルが押圧されて、車両走行中の振動やコイルに発生する電磁力に抗してコイルが所定の位置関係に確保される。
【０００３】
特許文献１には、コイルの上面を３点で当接する板ばねを用いて、コイルをハウジングに対して押し付ける固定構造が開示されている。
【先行技術文献】
【特許文献】
【０００４】
【特許文献１】特開平１１−０４３０３２号公報
【特許文献２】特開２００４−３６０８６４号公報
【発明の概要】
【発明が解決しようとする課題】
【０００５】
特許文献１に記載の構造では、コイルの体格が小さくなると板ばねを配置する空間が限られるため、コイルの重心を外れて板ばねを配置しなくてはならなくなる。この場合、コイルをしっかりと押し付けられないため、コイルに電磁力が発生したときにコイルが傾き、内部に挿入されているソレノイドと干渉して干渉音が発生する可能性がある。
【０００６】
本発明はこうした状況に鑑みてなされたものであり、その目的は、コイルの体格が小さい場合でもケースに対してコイルをしっかりと固定することができる構造を提供することにある。
【課題を解決するための手段】
【０００７】
本発明の一態様は、通電により開閉されるソレノイドバルブを構成するコイルをケースに固定する構造であって、内部にソレノイドが挿入され、電力供給を受けるための二本の端子を有するコイルと、前記コイルの上面と、対向するケース内面との間に間挿される弾性部材と、を備え、前記弾性部材は、前記ケース内面と三箇所で当接し、かつ前記二本の端子と前記ソレノイドの中心とを結ぶ直線上に位置する二箇所で前記コイルの上面と当接するように形成されることを特徴とするコイル固定構造である。
【０００８】
この態様によると、弾性部材のコイル上面への当接部が二箇所であるため、コイルの体格が小さい場合でも設置可能である。また、ケース内面に対して三箇所で当接するので、コイルに電磁力が発生した場合でもコイル重心の傾きを抑えて干渉音の発生を抑制することができる。
【発明の効果】
【０００９】
本発明によれば、コイルの体格が小さい場合でもケースに対してコイルをしっかりと固定することができる。
【図面の簡単な説明】
【００１０】
【図１】本発明の一実施形態に係る固定構造で固定されるコイルの一例を示す図である。
【図２】一実施形態に係るコイルに付勢力を与える板ばねを示す図である。
【図３】図２の板ばねを用いてコイルをケースに固定する構造を示す図である。
【図４】一変形例を示す図である。
【発明を実施するための形態】
【００１１】
車両用ブレーキ制御システムには、複数の電磁弁が使用されている。電磁弁は、一般に、ケース内に設けられコイルへの通電により開閉されるソレノイドバルブである。このようなソレノイドバルブ自体は周知であるので、本明細書では詳細な説明を省略する。
【００１２】
図１は、ソレノイドバルブを構成するコイル１０の一例を示す。図１（ａ）はコイルの斜視図、（ｂ）は平面図、（ｃ）は正面図である。コイル１０の穴１３の中にソレノイド（図示せず）が挿入され、コイルへの通電をオンオフすることでソレノイドが上下方向に移動し、電磁弁の機能を発揮する。
【００１３】
車両に搭載されるとき、コイル１０を鉛直下方に、すなわち図１（ａ）に矢印で示す方向に力を加えて押さえ込む必要がある。これは、コイルを励起したときに生じる電磁力により発生する力によって、ケース内でコイルが傾いたり動いたりして振動や異音が発生するのを防止するためである。
【００１４】
一般に、平面に対してある物体をばね等を用いて安定的に押さえつけるためには、三点以上の支点が必要である。コイルの体格が大きい場合、三点以上の支点をコイル側に設けることは比較的容易である。これに対し、コイルの体格が小さくなるほど、ばねを配置するための空間的な余裕が限られてくるため、三点の支点を設けることが困難になる。また、図１に示すようなコイル１０では、コイルに通電をするための端子１４が突出しているため、コイルのこの部分にばねを設けることができないという問題もある。
【００１５】
上記の問題を解決するため、例えば、図１（ｂ）にＡ、Ｂで示すような二点でコイルとケースの間にばねを間挿してコイルに付勢力を与える方法も考えられる。しかしながら、このようにコイルの重心を外した押さえ方をすると、例えばコイルへの通電時にコイルに発生する電磁力Ｃ、Ｄ（図１（ｃ）参照）が左右で相違するような場合に、十分な付勢力をコイルに与えて力を押さえ込むことができず、コイルが傾いてしまうことがある。すると、コイルの穴１３内に挿入されているソレノイドとコイル１０とが干渉して、干渉音が発生してしまう。
【００１６】
そこで、本実施形態では、コイルが小さいためにコイルとケースの間にばねを配置する空間が限られている場合でも、コイルに発生する電磁力を押さえ込むことができるコイルの固定構造を提供する。
【００１７】
図２は、本発明の一実施形態に係る、コイル１０に付勢力を与える板ばね５０を示す。図２（ａ）は、板ばね５０の平面図、図２（ｂ）は板ばね５０の斜視図である。
【００１８】
図示するように、板ばね５０は、一端が互いに接合された二本のアーム５４ａ、５４ｂを有する。アーム５４ａ、５４ｂの接合部５２は平坦な上面を有する。アーム５４ａ、５４ｂは、接合部５２から分かれて下方に折れ曲がり、屈曲部５８ａ、５８ｂで今度は上方に折れ曲がり末端部５６ａ、５６ｂに至る、全体として「へ」の字形状をなしている。アーム５４ａ、５４ｂの末端部５６ａ、５６ｂも平坦な上面を有する。接合部５２の平坦面と、末端部５６ａ、５６ｂの平坦面とは、同一平面上に位置するように形成される。
【００１９】
二つの屈曲部５８ａ、５８ｂのうちコイル１０に対向する側は、同一平面上に位置する平坦面を構成するようにそれぞれ形成されている。
【００２０】
図１（ｂ）を参照して、コイル１０の穴の中心（すなわち挿入されるソレノイドの中心）Ｏと、コイルの上面１２から二本の端子１４が突出する点とを結ぶ交差する二本の直線を描き、これらの直線同士がなす角度θを、アーム５４ａ、５４ｂがなす角度として使用する。
【００２１】
板ばね５０は、コイルとケースとの間に間挿されたときに、コイルに発生する電磁力に抗して十分な付勢力をコイルに対して与えられるように、弾性を有する金属または樹脂材料で形成されることが望ましい。金属材料の場合、表面に絶縁コーティングが施されることが好ましい。
【００２２】
図３は、板ばね５０を用いてコイル１０を固定する構造を示す。図３は、ケース内にコイル１０が配置され、コイル１０の上面１２とケース内面２０との間に板ばね５０が介在された状態の断面図である。
【００２３】
板ばね５０は、コイルの上面１２とケース内面２０との間に、上下方向にわずかに圧縮された状態で配置される。このとき、板ばね５０は、ケース内面２０と三箇所の平坦面５２、５６ａ、５６ｂで当接する。上述したように、これらの平坦面は同一平面上になるように形成されているので、ケース内面と板ばねの平坦面との間で良好な接触状態が確保される。また、ケース内面と三点で接触することで、コイルを安定的に押さえつけることができる。
【００２４】
また、板ばね５０は、コイル１０の上面１２と二箇所の平坦面５８ａ、５８ｂで当接する。同様に、これらの平坦面は同一平面上になるように形成されているので、コイルの上面と板ばねとの間で良好な接触状態が確保される。また、コイル側の当接部は二箇所であるため、コイル上面の面積が小さい場合でも接触部を確保しやすいという利点がある。
【００２５】
上述のように、板ばね５０の二本のアーム５４ａ、５４ｂの間の角度は、コイルの中心Ｏと二本の端子１４とを結ぶ直線のなす角度に合わせてあるため、板ばねとケース内面との三箇所の当接部は全てこの直線上に位置することになる。したがって、コイルの重心付近を押さえることができる。したがって、コイルに励磁電流が供給されコイルに電磁力が発生した場合でも、コイルの傾きを抑制しやすい。
【００２６】
以上説明したように、本実施形態によれば、弾性部材のコイル上面への当接部が二箇所であるため、コイルの体格が小さい場合でも設置可能である。また、ケース内面に対して三箇所で当接するので、コイルに電磁力が発生した場合でもコイル重心の傾きを抑えて干渉音の発生を抑制することができる。
【００２７】
以上、本発明を実施の形態をもとに説明した。これらの実施の形態はあくまで例示であり、実施の形態同士の任意の組み合わせ、実施の形態の各構成要素や各処理プロセスの任意の組み合わせなどの変形例もまた、本発明の範囲にあることは当業者に理解されるところである。
【００２８】
本発明は、上述の各実施形態に限定されるものではなく、当業者の知識に基づいて各種の設計変更等の変形を加えることも可能である。各図に示す構成は、一例を説明するためのもので、同様な機能を達成できる構成であれば、適宜変更可能である。
【００２９】
図１に示した以外の形状のコイルに対しても、本実施形態に係る板ばねを使用して押さえつけることができる。図４はそのような変形例を示す。
【００３０】
この変形例では、図４（ａ）に示すようにコイル１０’が丸形であり、端子１４’が直径の両側に位置するような形状をしている。この場合、図４（ｂ）に示すように、板ばね５０’の二本のアーム５４ａ、５４ｂが一直線状になるように板ばね５０を形成する。接合部、５２’、屈曲部５８ａ’、５８ｂ’、末端部５６ａ’、５６ｂ’の構造は、図２（ｂ）に示す対応する部分と同様である。そして、図４（ｃ）に示すように、コイルの上面１２’とケース内面２０との間に、板ばね５０’を介在させる。このとき、コイル上面との二箇所の当接部（すなわち屈曲部５８ａ’、５８ｂ’）の中心がコイルの重心に来るように板ばね５０を設置する。
【００３１】
コイル上面と二箇所で当接する板ばねについて説明したが、ケース内面と三箇所で当接する限り、コイルとの当接が一箇所であってもよい。この場合、コイルと板ばねとが当接部が、図１（ｂ）の中心点Ｏを通る左右方向の中心線上に位置するように板ばね形状を形成することが好ましい。
【００３２】
上述の実施形態では、板ばねのアームは二つの直線からなるへの字状であるが、アームがわずかに湾曲していてもよい。
【００３３】
実施の形態では弾性部材として板ばねを用いることを説明したが、ばね以外の弾性部材を使用してもよい。
【符号の説明】
【００３４】
１０  コイル、  １４  端子、  ２０  ケース、  ５０  板ばね、  ５２  接合部、  ５４ａ、５４ｂ  アーム、  ５６ａ、５６ｂ  末端部、  ５８ａ、５８ｂ  屈曲部。
【図１】
0005673503.tif 000002
【図２】
0005673503.tif 000003
【図３】
0005673503.tif 000004
【図４】
0005673503.tif 000005